(57)【要約】【課題】携帯型音楽再生装置において、音楽データを暗号化又は復号化することで内容の保護を図る。【解決手段】音楽データ発信装置１００は、音楽データ記憶媒体２００に格納された音楽データを、暗号化し耳装着型音楽再生装置３００に出力する。音楽データ記憶媒体２００には、音楽データ及び使用者の指紋データが記憶される。耳装着型音楽再生装置３００は、音楽データ発信装置１００から出力される、暗号化された音楽データを受信し復号化し再生を行なう。音楽データ記憶媒体リーダライター４００は、音楽データ記憶媒体２００パーソナルコンピュータ５００に接続され、パーソナルコンピュータ５００から出力される音楽データを音楽データ記憶媒体２００に記録する。音楽データ記憶媒体２００に記憶されている音楽データは、必ず指紋データとペアで出力され、音楽データのみ又は、指紋データのみで出力されることは無い。【選択図】        図１
2004363671.tif 000002
【特許請求の範囲】
【請求項１】
耳装着型音楽再生装置と耳装着型音楽再生装置に音楽データを発信する音楽データ発信装置と、音楽データ発信装置に装備される音楽データ記憶媒体を備えた携帯型音楽再生装置において、音楽データ発信装置は音楽データ記憶媒体に格納された音楽データを暗号化して耳装着型音楽再生装置に発信することを特徴とする音楽データ発信装置。
【請求項２】
耳装着型音楽再生装置と耳装着型音楽再生装置に音楽データを発信する音楽データ発信装置と、音楽データ発信装置に装備される音楽データ記憶媒体を備えた携帯型音楽再生装置において、音楽データ発信装置は、音楽データを暗号化する際に予め音楽データ記憶媒体に記憶された身体的特徴を用いて音楽データや音声データを暗号化又は、復号化する共通鍵を生成することを特徴とする音楽データ発信装置。
【請求項３】
耳装着型音楽再生装置と耳装着型音楽再生装置に音楽データを発信する音楽データ発信装置と、音楽データ発信装置に装備される音楽データ記憶媒体を備えた携帯型音楽再生装置において、音楽データ発信装置は、音楽データを暗号化するさい予め記憶媒体に記憶された身体的特徴を数値化しその数値を用いて音楽データや音声データを暗号化又は、復号化する共通鍵を生成することを特徴とする音楽データ発信装置。
【請求項４】
耳装着型音楽再生装置と耳装着型音楽再生装置に音楽データを発信する音楽データ発信装置と、音楽データ発信装置に装備される音楽データ記憶媒体を備えた携帯型音楽再生装置において、音楽データ発信装置は、音楽データや音声データを暗号化又は、復号化する共通鍵を生成する為に必要な身体的特徴が指紋であることを特徴とする音楽データ発信装置。
【請求項５】
身体的特徴である指紋データは数値化され音楽データや音声データを暗号化又は、復号化する共通鍵を生成することを特徴とする請求項４記載の音楽データ発信装置。
【請求項６】
耳装着型音楽再生装置と耳装着型音楽再生装置に音楽データを発信する音楽データ発信装置と、音楽データ発信装置に装備される音楽データ記憶媒体を備えた携帯型音楽再生装置において、音楽データ発信装置は、耳装着型音楽再生装置から発信された電波をアンテナ部に受信することにより電力を発生させ、その電力を使用して再生、停止、早送り、巻き戻し等、音楽再生にかかわる指示に基づき再生、停止、早送り、巻き戻し等の動作を行なうことを特徴とする音楽データ発信装置。
【請求項７】
耳装着型音楽再生装置と耳装着型音楽再生装置に音楽データを発信する音楽データ発信装置と、音楽データ発信装置に装備される音楽データ記憶媒体を備えた携帯型音楽再生装置において、音楽データ発信装置は、使用者の身体的特徴データの入力を受付ける身体的特徴データ入力手段と、
前記身体的特徴データ入力手段で受付けられた身体的特徴データを記憶する身体的データ記憶手段とを備え、
前記身体的特徴データ入力手段で受付けられた身体的特徴データと、前記身体的データ記憶手段に記憶された身体的特徴データとを比較して、前記使用者の指示するいずれの操作で有るかを判定する判定手段とを備え、
前記判定手段の結果に基づいて、再生、停止、早送り、巻き戻し等、音楽再生にかかわる動作を行なう音楽データ発信装置。
【請求項８】
前記身体的特徴データは指紋を撮影して得られる画像データである、請求項７記載の音楽データ発信装置。
【請求項９】
前記判定手段は、前記身体的特徴データ入力手段によって受付けられた身体的特徴データと、前記身体的データ記憶手段に記憶された身体的特徴データとが一致又は、類似する場合に前記使用者が指示した再生、停止、早送り、巻き戻し等いずれの音楽再生にかかわる動作であるかの判定を行なう請求項７記載の音楽データ発信装置。
【請求項１０】
耳装着型音楽再生装置と耳装着型音楽再生装置に音楽データを発信する音楽データ発信装置と、音楽データ発信装置に装備される音楽データ記憶媒体を備えた携帯型音楽再生装置において、耳装着型音楽再生装置は、音楽データ発信装置から発信された、暗号化された音楽データを受信し暗号化された音楽データを複合化することを特徴とする耳装着型音楽再生装置。
【請求項１１】
使用者の身体的特徴データを受付ける入力手段を備え、音楽データを復号化するさい前記入力手段から入力された身体的特徴を用いて暗号化された音楽データを復号化することが可能な共通鍵を生成することを特徴とする請求項１０記載の耳装着型音楽再生装置。
【請求項１２】
使用者の身体的特徴データを受付ける入力手段を備え、音楽データを復号化するさい前記入力手段から入力された身体的特徴を数値化しその数値を用いて暗号化された音楽データを復号化する共通鍵を生成することを特徴とする請求項１０記載の耳装着型音楽再生装置。
【請求項１３】
暗号化された音楽データを復号化する共通鍵を生成する為に必要な身体的特徴が指紋であることを特徴とする請求項１１記載の耳装着型音楽再生装置。
【請求項１４】
身体的特徴である指紋データは数値化され音楽データや音声データを復号化することが可能な共通鍵を生成することを特徴とする請求項１３記載の耳装着型音楽再生装置。
【請求項１５】
使用者の身体的特徴データの入力を受付ける身体的特徴データ入力手段と、
前記身体的特徴データ入力手段で受付けられた身体的特徴データを記憶する身体的データ記憶手段とを備え、
前記身体的特徴データ入力手段で受付けられた身体的特徴データと、前記身体的データ記憶手段に記憶された身体的特徴データとを比較して、前記使用者の指示するいずれの操作で有るかを判定する判定手段とを備え、
前記判定手段の結果に基づいて、再生、停止、早送り、巻き戻し等、音楽再生にかかわる動作を行なう請求項１０記載の耳装着型音楽再生装置。
【請求項１６】
前記身体的特徴データは指紋を撮影して得られる画像データである、請求項１５記載の耳装着型音楽再生装置。
【請求項１７】
前記判定手段は、前記身体的特徴データ入力手によって受付けられた身体的特徴データと、前記身体的データ記憶手段に記憶された身体的特徴データとが一致又は、類似する場合に前記使用者が指示した再生、停止、早送り、巻き戻し等いずれの音楽再生にかかわる動作であるかの判定を、行なう請求項１５記載の耳装着型音楽再生装置。
【請求項１８】
前記判定手段は、前記身体的特徴データ入力手段によって受付けられた身体的特徴データと、前記身体的データ記憶手段に記憶された身体的特徴データとが一致又は、類似する場合に前記使用者が指示した再生、停止、早送り、巻き戻し等いずれの音楽再生にかかわる動作であるかの判定を、行なう請求項１５記載の耳装着型音楽再生装置。
【発明の詳細な説明】
【０００１】
【発明の属する技術分野】
本発明は、耳装着型音楽再生装置及び音楽記憶媒体から音楽データを耳装着型音楽再生装置に送信する手段に関する。
本発明は音楽データを記憶する音楽記憶媒体に関する。
【０００２】
【従来の技術】
近年ポータブルオーディオプレーヤーと呼ばれる音楽再生機器が普及している。
この音楽再生機器は、半導体記憶媒体に記録された音楽データを再生する機器であり、代表的なものとしてはプレーヤー側とヘッドホン側に分かれており、プレーヤーとヘッドホンは、イヤホンコードで接続されている。
その為、イヤホンコードを煩わしく感じたり、イヤホンコードが周囲に引っかかる恐れがあることから運動中に使用することは出来なかった。
この問題を解決した発明として下記の特許文献１が公開されている。
【０００３】
この特許文献に記載された第１の例は、ヘッドホン型音楽再生装置３１００に備えられたメモリカードスロットに音楽データを格納した着脱式メモリカードをセットし、ヘッドホン型音楽再生装置で再生を行なう。
ヘッドホン型音楽再生装置への操作指示は、リスト型リモコン装置に備える操作入力部で、音楽の再生、停止、早送り、巻き戻し等、音楽再生にかかわる操作を行なう。
リスト型リモコン装置で入力された操作指示は音楽再生操作の遠隔制御信号に変換されヘッドホン型音楽再生装置へ送信される。
音楽再生操作の遠隔制御信号を受信したヘッドホン型音楽再生装置は、音楽再生操作の遠隔制御信号に基づき、音楽の再生、停止、早送り、巻き戻し等の動作を行なう。
このようにしてプレーヤーとヘッドホンをつなぐイヤホンジャックを不用にし、運動時でも使用できる携帯性と、操作性を実現している。
第２の例は、リスト型音楽再生装置に備えられたメモリカード収納部に音楽データを格納した着脱式メモリカードをセットし、リスト型音楽再生装置で再生する。
リスト型音楽再生装置では、操作入力部で、音楽の再生、停止、早送り、巻き戻し等、音楽再生にかかわる操作を行なう。
リスト型音楽再生装置で再生された音楽を、無線でヘッドホンに送信する。
ヘッドホンに送信された音楽データは、ヘッドホンスピーカを通じて出力される。
【０００４】
【特許文献１】
特開２００１−１６９３８０号公報
【０００５】
【発明が解決しようとする課題】
しかし、上記従来技術の音楽再生装置には以下の問題点が生じる。
第１の例は、小型メモリーカードをヘッドホン本体に装着するため、ヘッドホン本体の大きさ及びデザインは、小型メモリーカードの大きさデザインに影響される。
【０００６】
第２の例は、単にリスト型音楽再生装置で再生された音楽データを無線でヘッドホンに送信するだけである。
つまり、リスト型音楽再生装置から送信された音楽データは著作権保護の観点からみて、暗号化などの対策がなされておらず、この音楽データを受信することで、簡単に視聴あるいは、コピーされることが考えられる。
上述した音楽再生装置あるいは、その他既存の耳装着型音楽再生装置では、記憶媒体に記憶された、音楽あるいは音声データが本来の持ち主以外の人物でも簡単にその内容を聞くことが可能である。
その為、音楽が発表前のデモ用音楽や新製品開発会議等、音楽・音声データの内容が重要機密に属する内容又は、プライバシーにかかわる内容で、他者に聞かれては困る内容の場合でも、機密内容を録音された音声記憶媒体を紛失、盗難にあい自らが望まない相手の手にその記憶媒体が渡ってしまった場合、簡単にその内容を確認されてしまうことが考えられる。
本発明は、上述した不具合を解消する携帯型音楽再生装置を提供するものである。
【０００７】
【議題を解決するための手段】
本発明の携帯型音楽再生装置は、耳装着型音楽再生装置と、耳装着型音楽再生装置に音楽データを発信する音楽データ発信装置と、音楽データ発信装置に装備される音楽データ記憶媒体を備える。そして、音楽データ発信装置は音楽データ記憶媒体に格納された音楽データを暗号化して耳装着型音楽再生装置に発信することが可能な事を特徴とする。
また、音楽データを暗号化する際、予め記憶媒体に記憶された身体的特徴を数値化しその数値を用いて音楽データや音声データを暗号化又は、復号化することが可能な共通鍵を生成することが可能なことを特徴とする。
【０００８】
音楽データを暗号化するさい、予め記憶媒体に記憶された身体的特徴は指紋であり、音楽データを復号化するさい使用者が入力した身体的特徴を数値化しその数値を用いて音楽データや音声データを暗号化又は、復号化する共通鍵を生成するものである。
さらに、音楽データを復号化するさい入力する共通鍵に必要な身体的特徴は記憶媒体の持ち主の指紋であり、指紋読取り装置を有し所有者の指紋を入力する事により再生、停止、早送り、巻き戻し等、音楽再生にかかわる操作がなされることを特徴とする。
【０００９】
【発明の実施の形態】
以下、本発明における実施の形態について図面を参照して説明する。
図１は、本発明の全体の概略図を示すものである。
音楽データ発信装置１００は、音楽データ記憶媒体２００に格納された音楽データを、暗号化し耳装着型音楽再生装置３００に出力するものである。
音楽データ記憶媒体２００には、音楽データ及び使用者の指紋データが記憶される。
耳装着型音楽再生装置３００は、音楽データ発信装置１００から出力される、暗号化された音楽データを受信し復号化し再生を行なうものである。
音楽データ記憶媒体リーダライター４００は、音楽データ記憶媒体２００パーソナルコンピュータ５００に接続され、パーソナルコンピュータ５００から出力される音楽データを音楽データ記憶媒体２００に記録する。
【００１０】
又パーソナルコンピュータ５００の指示に基づき、音楽データ記憶媒体２００に記憶されているデータを読取り、パーソナルコンピュータ５００に出力したりする。
このとき音楽データ記憶媒体２００に記憶されている音楽データは、必ず指紋データとペアで出力され、音楽データのみ又は、指紋データのみで出力されることは無い。
又、音楽データ記憶媒体リーダライター４００を介して出力された音楽データをパーソナルコンピュータで再生しようとしたとき、ペアで移動された指紋データの認証がなされない限り再生されることは無い。
又、指紋データ読取り装置４５０から入力された指紋データを、パーソナルコンピュータ５００を介して取込み、音楽データ記憶媒体２００に書込む。
【００１１】
指紋データ読取り装置４５０は、音楽データ記憶媒体２００の使用者である人物の指紋データを読取りパーソナルコンピュータ５００に出力する。
パーソナルコンピュータ５００は、利用者の指示を音楽コンテツサーバー７００にネットワーク網６００を介して送信したり、送信された指示により音楽コンテンツサーバー７００より出力された、利用者の所望する音楽コンテンツをネットワーク網６００を介して受信し音楽データ記憶媒体リーダライター４００に出力する。
又、パーソナルコンピュータ５００に接続された音楽データ記憶媒体リーダライター４００に読み取らせた音楽データ記憶媒体２００に記憶された音楽データや使用者の指紋データをパーソナルコンピュータ５００の備える記憶手段に記憶したりする。
又、パーソナルコンピュータ５００の備えるＣＤ−ＲＯＭドライブ等から取込んだ音楽データや音声データを音楽データ記憶媒体リーダライター４００に出力する。
又、前記指紋データ読取り装置４５０から読込まれた指紋データを音楽データ記憶媒体リーダライター４００に出力する。
音楽データ記憶媒体リーダライター４００に出力された指紋データは、音楽データ記憶媒体リーダライター４００により音楽データ記憶媒体２００に書込まれる。
【００１２】
ネットワーク網６００は、パーソナルコンピュータ５００から音楽コンテンツサーバー７００に対して音楽コンテンツサーバー７００に格納された音楽データの送信要求信号や音楽コンテンツサーバー７００からパーソナルコンピュータ５００に音楽データを送信するための双方向通信経路である。
音楽コンテンツサーバー７００は、音楽コンテンツを蓄積しているサーバーであり、パーソナルコンピュータ５００からの音楽データ送信要求信号に基づき音楽データをネットワーク網６００を介してパーソナルコンピュータ５００に送信する。
【００１３】
図２は、音楽データ発信装置１００の構成を示す概略図である。
音楽データ発信装置１００は、耳装着音楽再生装置３００から発信される再生指示信号に基づき、音楽データ記憶媒体２００に格納された音楽データを読み出し、暗号化して耳装着音楽再生装置３００に送信する為の装置である。
音楽データ発信装置１００は、制御手段１１０、共通鍵生成手段１２０、共通鍵一時記憶手段１３０、音楽データ暗号化手段１４０、記憶媒体接続手段１５０、公開暗号鍵Ｋｐ２記憶手段１６０、プレーヤー認識ＩＤ記憶手段１６５、セットアップ完了信号出力手段１７０、情報入出力手段１８０、指示信号入力手段１８１、機器間認証完了通知信号入力手段１８２、プレーヤーＩＤ番号出力手段１８３、音楽データ出力手段１８４、Ｉ／Ｆ手段１８５、セパレーター１９０、復調手段１９１、変調手段１９２、電源回路１９５、アンテナ１９６で構成される。
【００１４】
制御手段１１０は、音楽データ発信装置１００全体を制御するためのものであり、電源回路１９５から整流された電力が音楽データ発信装置１００全体に供給されることにより、パワーオン、つまりリセット動作の制御行なう。
又、制御手段１１０は、プレーヤー認識番号送信要求信号に基づき、プレーヤー認識ＩＤ記憶手段１６５に音楽データ発信装置１００と耳装着音楽再生装置３００の機器間認証を行うための、プレーヤー認識ＩＤ番号を出力させる。
又、制御手段１１０は、プレーヤー認識ＩＤ記憶手段１６５から出力されたプレーヤー認識ＩＤ番号を音楽データ発信装置１００と耳装着音楽再生装置３００の機器間認証を行うためのプレーヤー認識ＩＤ番号をプレーヤーＩＤ出力手段１８３に供給する。
【００１５】
又、制御手段１１０は、音楽データ発信装置１００と耳装着音楽再生装置３００の機器間認証完了通知信号に基づき、共通鍵生成手段１２０に乱数を発生するよう指示する。
又、制御手段１１０は、耳装着音楽再生装置３００で乱数ａを公開鍵Ｋｐ１で暗号化した暗号ａ（Ｋｐ１）を、Ｉ／Ｆ手段１８５を介して供給すると、共通鍵生成手段１２０に出力する。
又、制御手段１１０は、共通鍵生成手段１２０から供給された、指紋データ供給要求信号に基づき、記憶媒体接続手段１５０を介して、音楽データ記憶媒体２００に対し指紋データ供給要求信号を出力する。
又、制御手段１１０は、指紋データを共通鍵生成手段１２０に対し指紋データを出力する。
又、制御手段１１０は、Ｉ／Ｆ手段１８５を介して供給された、再生指示信号に基づき、記憶媒体接続手段１５０を介して音楽データ記憶媒体２００に対し音楽データ出力要求信号を出力する。
又、制御手段１１０は、音楽データ記憶媒体２００の備えられたＩ／Ｆ手段２０１を介して、供給された音楽データを音楽データ暗号化手段１４０に供給する。
又、制御手段１１０は、音楽データ暗号化手段１４０から供給された暗号化された音楽データを音楽データ出力手段１８４に出力する。
共通鍵生成手段１２０は、制御手段１１０の指示に基づき乱数ａを発生させ、乱数ａを公開暗号鍵Ｋｐ２記憶手段に記憶された公開暗号鍵Ｋｐ２を用いて暗号化したり、耳装着音楽再生装置３００から出力された、暗号ａ（Ｋｐ２）が供給されることにより共通鍵Ｋｍ１を生成するものである。
【００１６】
図３は、共通鍵生成手段１２０の詳細を示す。
共通鍵生成手段１２０は、乱数発生手段１２０１、Ｋｐ２暗号化手段１２０２、復号化手段１２０３、共通鍵計算手段１２０４、秘密鍵Ｋｓ１記憶手段１２０５、指紋数値化手段１２０６で構成される。
乱数発生手段１２０１は、制御手段１１０の指示に基づき、乱数ａを生成し、生成した乱数ａをＫｐ２暗号化手段１２０２に供給する。
Ｋｐ２暗号化手段１２０２は、乱数発生手段１２０１から乱数ａを供給されると、乱数ａを公開暗号鍵Ｋｐ２により暗号化する。
復号化手段１２０３は、暗号ａ（Ｋｐ１）を秘密鍵Ｋｓ１を用いて複合化するためのものである。
制御手段１１０から暗号ａ（Ｋｐ１）を供給されると、次に秘密鍵Ｋｓ１記憶手段１２０５に秘密鍵Ｋｓ１を複合化手段１２０３に供給するよう指示をする。
そして指示に基づき秘密鍵Ｋｓ１記憶手段１２０５から供給された秘密鍵Ｋｓ１を用いて暗号ａ（Ｋｐ１）を複合化する。
【００１７】
共通鍵計算手段１２０４は、複合化手段１２０３より入力された乱数ａ１を供給されると、制御手段１１０に対し、指紋データ供給要求信号を出力する。
そして、指紋数値化手段１２０６で数値化された指紋数値データＳ１と前記複合化手段１２０３より供給された乱数ａ１から、共通鍵Ｋｍ１を計算し、共通鍵一時記憶手段１３０に出力する。
秘密鍵Ｋｓ１記憶手段１２０５は秘密鍵Ｋｓ１を音楽データ発信装置１００が製造される際にあらかじめ記憶させてあり、複合化手段１２０３の要求に基づき複合化手段１２０３に秘密鍵Ｋｓ１を供給する。
指紋数値化手段１２０６は、音楽データ記憶媒体２００に画像データとして記憶されている指紋情報を数値データに置き換える装置である。
指紋数値化手段１２０６は、音楽データ記憶媒体２００に記憶されている指紋データを２次元の指紋データに展開する。該指紋データは、制御手段１１０の指示に基づき、音楽データ記憶媒体２００から記憶媒体接続手段１５０、制御手段１１０を介し、指紋数値化手段１２０６に供給される。
【００１８】
図４は、２次元の指紋データの具体的展開例として、マトリクス上に指紋データを展開するものを示す。
本実施例の場合、縦軸Ａ列からＨ列までの８列と横軸１行から８行までの８行のマトリクス上で指紋データの展開をし、数値化を行なう事とする。
例えば、Ａ列１行目の桝目には、指紋データの紋様が記録されていないので０とする。Ｂ列１行目の桝目にも、指紋データの紋様が記録されていないので０とする。Ｃ列１行目の桝目には、指紋データの紋様が記録されているので１とする。このように指紋データの紋様が記録されていない桝目を０、指紋データの紋様が記録されている桝目を１とし画像として記憶されていた指紋データの数値化を行なう。
【００１９】
共通鍵一時記憶手段１３０は、共通鍵生成手段１２０が生成した共通鍵を一時的に記憶する。
そして該共通鍵一時記憶手段１３０は、音楽データを供給された音楽データ暗号化手段１４０の要求に基づき音楽データ暗号化手段１４０に共通鍵Ｋｍ１を供給する。
尚、音楽データ暗号化手段１４０は、音楽データ記憶媒体２００に格納された音楽データをＩ／Ｆ手段２０１、記憶媒体接続手段１５０、制御手段１１０を介し音楽データを供給された後、共通鍵一時記憶手段１３０に共通鍵Ｋｍ１を供給させる要求を行う。
そして音楽データ暗号化手段１４０は、共通鍵Ｋｍ１をもとに音楽データを暗号化し制御手段１１０に出力する。
記憶媒体接続手段１５０は、音楽データ発信装置１００と音楽データ記憶媒体２００の間を指示信号やデータなどが送受信できるようにするインターフェイス手段である。
【００２０】
公開暗号鍵Ｋｐ２記憶手段１６０は、公開暗号鍵Ｋｐ２を記憶するものであり、公開暗号鍵Ｋｐ２は音楽データ発信装置１００が生産される際、あらかじめ公開暗号鍵Ｋｐ２記憶手段１６０に記憶させておくものとする。
公開暗号鍵記憶手段１６０は、Ｋｐ２暗号化手段１２０２の要求に基づきＫｐ２暗号化手段１２０２に公開暗号鍵Ｋｐ２を供給する。
プレーヤー認識ＩＤ記憶手段１６５は、音楽データ発信装置１００と耳装着音楽再生装置３００が機器間の相互認証を行うためのＩＤ番号を記憶している。
プレーヤー認識ＩＤ記憶手段１６５は、プレーヤー認識番号送信要求信号を供給された制御手段１１０の指示に基づきプレーヤー認識ＩＤ番号を制御手段１１０を介しプレーヤーＩＤ出力手段１８３に供給する。
セットアップ完了信号出力手段１７０は、音楽データ発信装置１００の備える制御手段１１０で制御され音楽データ発信装置１００全体に電源供給されると動作を行う。パワーオンリセット動作が完了すると、セットアップ完了信号を情報入出力手段１８０へ出力する。
【００２１】
情報入出力手段１８０は、セットアップ完了信号出力手段１７０がアクティブ信号を出力するとアクティブ状態となり、音楽データ発信装置１００は、外部との情報交換可能となる。
その後アンテナ１９６を経由して、復調手段１９１で復調されたデータが情報入出力手段１８０に供給されると耳装着型音楽再生装置３００から発信された再生指示信号を制御手段１１０に供給するために備えた指示信号入力手段１８１や音楽データ発信装置１００と耳装着音楽再生装置３００が機器間の相互認証が完了したことを耳装着音楽再生装置３００から音楽データ発信装置１００に通知するための機器間認証完了信号を制御手段１１０に供給するための機器間認証完了通知信号入力手段１８２、情報入出力手段１８０から供給されたプレーヤー認識番号送信要求信号、乱数ａを公開鍵暗号Ｋｐ１で暗号化した暗号ａ（Ｋｐ１）を制御手段１１０に出力し制御手段１１０から供給された乱数ａを公開鍵暗号Ｋｐ２で暗号化した暗号ａ（Ｋｐ２）を情報入出力手段１８０に出力するためのＩ／Ｆ手段１８５に出力する。
又、プレーヤーＩＤ番号出力手段１８３から出力されたプレーヤー認識ＩＤ番号や音楽データ出力手段１８４から出力された暗号化された音楽データや、Ｉ／Ｆ手段１８５から出力された公開暗号鍵Ｋｐ２にて暗号化された乱数ａを暗号ａ（Ｋｐ２）を変調手段１９２に出力する。
【００２２】
指示信号入力手段１８１は、情報入出力手段１８０から供給された再生指示信号を制御手段１１０に供給する。
機器間認証完了通知信号入力手段１８２は、情報入力手段１８０から供給された機器間認証完了通知信号を制御手段１１０に出力する。
プレーヤーＩＤ番号出力手段１８３は、制御手段１１０から供給されたプレーヤー認識ＩＤ番号を情報入出力手段１８０に供給する。
音楽データ出力手段１８４は、制御手段１１０から供給された、共通鍵Ｋｍ１で暗号化された音楽データ、音楽データ（Ｋｍ）を情報入出力手段１８０に出力する。
【００２３】
Ｉ／Ｆ手段１８５は、情報入出力手段１８０から供給されたプレーヤー認識番号送信要求信号を制御手段１１０に出力する。それに基づき制御手段１１０は、プレーヤー認識ＩＤ記憶手段１６５に対しプレーヤー認識ＩＤ番号を出力するよう指示信号を出力する。
又、Ｉ／Ｆ手段１８５は、制御手段１１０から供給された暗号ａ（Ｋｐ２）を情報入出力手段１８０に出力する。情報入出力手段１８０に供給された暗号ａ（Ｋｐ２）は、変調手段１９２で変調されアンテナ１９６より耳装着音楽再生装置３００に出力される。
さらにＩ／Ｆ手段１８５は、情報入出力手段１８０から供給された暗号ａ（Ｋｐ１）を制御手段１１０に出力する。暗号ａ（Ｋｐ１）は制御手段１１０から共通鍵生成手段１２０に供給され共通鍵生成手段１２０にて共通鍵Ｋｍ１が生成される。
【００２４】
セパレーター１９０は、アンテナ１９６から入力された信号を情報部分の信号と電力部分の信号に分波し電力は電源回路１９５に供給し情報信号は復調回路１９１に供給するものである。
復調手段１９１は、セパレーター１９０から供給された情報部分の信号を復調するものである。
変調手段１９２は、情報入出力手段１８０から出力された、プレーヤーＩＤ番号、暗号化された音楽データ、暗号ａ（Ｋｐ２）、やセットアップ完了信号出力手段１７０から出力されたセットアップ完了信号を変調しアンテナ１９６に出力するものである。
電源回路１９５は、セパレーター１９０から供給された電力部分の信号を整流して音楽データ発信装置１００全体に電力を供給するものである。
アンテナ１９６は、変調手段１９２で変調された信号を耳装着型音楽再生装置３００に出力をする。
又、アンテナ１９６は耳装着型音楽再生装置３００の備えるアンテナ３３０から出力された信号を受信し、セパレーター１９０に供給したりもする。
【００２５】
図５は、耳装着型音楽再生装置３００の構成を示す概略図である。
耳装着型音楽再生装置３００は、機器間認証を行い認証された音楽データ発信装置１００に再生、音楽の早送りや巻き戻し、停止の動作指示信号を出力する。
そして耳装着型音楽再生装置３００より出力された再生指示信号に基づき音楽データ発信装置１００より出力された暗号化された音楽データを受信し複合化して音楽再生を行う。
耳装着型音楽再生装置３００は、制御手段３１０、記憶手段３２０、アンテナ３３０、セットアップ完了信号入力手段３３１、セットアップ完了確認信号出力手段３３２、機器間認証完了通知信号出力手段３３３、プレーヤーＩＤ番号入出力手段３３４、音楽データ入力手段３３５、Ｉ／Ｆ手段３３６、変復調手段３３７、指紋入力手段３４０、指紋比較手段３４５、指示信号生成手段３４６、暗号化された音楽データ複合手段３５０、共通鍵一時記憶手段３５１、暗号化された音楽データ一時記憶手段３５２、音楽・音声データ処理手段３６０、スピーカー３７０、共通鍵生成手段３８０から構成されている。
制御手段３１０は、耳装着型音楽再生装置３００の電源を投入すると、記憶手段３２０に格納されている指示データ記憶領域３２５の指示内容３２６対応する指示指紋３２７が記録されているかを判断する。
【００２６】
そして、指示データ記憶領域３２５の指示内容３２６対応する指示指紋３２７が記録されていない場合、ナビゲーション音声記憶領域３２１からメッセージを読出し音楽・音声データ処理手段３６０で再生し、スピーカー３７０に出力するよう指示する。
そして、指紋入力手段３４０から使用者のタッチ信号が供給されると、新たな使用者が登録されることと判断し、ナビゲーション音声記憶領域３２１からメッセージを読出し音楽・音声データ処理手段３６０で再生し、スピーカー３７０に出力するよう指示する。
そして、使用者が耳装着型音楽再生装置３００の動作を指示するための指紋が指紋入力手段３４０に入力されると、記憶手段３２０に格納されている指示データ記憶領域に記憶させる。
【００２７】
耳装着型音楽再生装置３００に電源が供給され、耳装着型音楽再生装置３００の使用者が登録されていると、セットアップ完了確認信号を発信する。
そして、セットアップ完了信号が、セットアップ完了信号入力手段３３１から供給されると、プレーヤー認識番号送信要求信号を出力する。
そして、プレーヤーＩＤ番号入出力手段３３４からプレーヤー認識番号が供給されると、記憶手段３２０に格納されているプレーヤー認識番号記憶領域３２３にプレーヤー認識番号を供給するよう指示する。
そして、プレーヤーＩＤ番号入出力手段３３４より供給された音楽データ発信装置１００と耳装着型音楽再生装置３００の機器間認証を行うためのプレーヤー認識ＩＤ番号と、プレーヤー認識番号記憶領域３２３から供給されたプレーヤー認識番号の比較を行なう。
【００２８】
そして、プレーヤー認識ＩＤ番号とプレーヤー認識番号の比較の結果、一致した場合、機器間認証完了通知信号を機器間認証完了通知信号出力手段３３３に出力する。
そして、公開鍵Ｋｐ２にて暗号化された乱数ａである暗号ａ（Ｋｐ２）を供給されると、記憶手段３２０の備えるナビゲーション音声記憶領域３２１に対し耳装着型音楽再生装置３００の使用者に、音楽データ記憶媒体２００に記憶させた指紋を入力するよう促すメッセージを出力するよう指示する。
そして、供給された暗号ａ（Ｋｐ２）を共通鍵生成手段３８０の備える複合化手段３８０１に出力する。
そして、指紋入力手段３４０に供給された指紋データを共通鍵生成手段３８０の備える指紋数値化手段３８０４に供給する。
さらに、共通鍵計算手段３８０５より共通鍵Ｋｍ２を供給されると、共通鍵Ｋｍ２を共通鍵一時記憶手段３５１に出力する。
さらに、Ｋｐ１暗号化手段３８０２から出力された、公開鍵暗号Ｋｐ１の供給要求信号を記憶手段３２０の備える公開鍵暗号Ｋｐ１記憶領域３２２に出力する。
そして、公開鍵暗号Ｋｐ１の供給要求信号に基づき、記憶手段３２０の備える公開鍵暗号Ｋｐ１記憶領域３２２から供給された公開鍵暗号Ｋｐ１をＫｐ１暗号化手段３８０２に供給する
そして、Ｋｐ１暗号化手段３８０２で公開暗号鍵Ｋｐ１にて暗号化された乱数ａである暗号ａ（Ｋｐ１）をＩ／Ｆ手段３３６に出力する。
【００２９】
さらに、記憶手段３２０に格納されている指示データ記憶領域３２５の指示内容３２６対応する指示指紋３２７が記録されてない場合、指紋入力手段３４０より入力された指紋情報を指紋比較手段３４５の備える入力指紋一時記憶手段３４２１ｂと入力指紋一時記憶手段３４２２ｂと入力指紋一時記憶手段３４２３ｂと入力指紋一時記憶手段３４２４ｂとに出力し記憶させる。
そして、記憶手段３２０に格納されている指示データ記憶領域３２５の指示内容３２６対応する指示指紋３２７が記録されている場合、指紋入力手段３４０と通じて耳装着型音楽再生装置３００の動作を指示するための指紋が入力されると、指示記憶手段３２０の備える指示指紋記憶領域３２５に対し、対応指の指紋データ３２７ａは再生指示指紋一時記憶手段３４２１ａに、対応指の指紋データ３２７ｂは停止指示指紋一時記憶手段３４２２ａに、対応指の指紋データ３２７ｃは早送り指示指紋一時記憶手段３４２３ａに対応指の指紋データ３２７ｄは巻戻し指示指紋一時記憶手段３４２４ａに出力するように指示する。
さらに、エラー信号が供給されると、記憶手段３２０の備えるナビゲーション音声記憶領域３２１にエラーメッセージを出力するよう指示する。
そして、ナビゲーション音声記憶領域３２１より出力されたエラーメッセージが供給されると、音楽・音声データ処理手段３６０に出力する。
さらに、指紋入力手段３４０より入力された動作指示指紋に基づき、耳装着型音楽再生装置３００の動作の制御を行なう。
【００３０】
記憶手段３２０は、使用者に耳装着型音楽再生装置３００の操作指示を促す音声や信号、乱数ａを暗号化するための公開暗号鍵、耳装着型音楽再生装置３００と音楽データ発信装置１００の通信を行うにあたって機器間の認証を行うためのプレーヤー認識番号や機器の操作を行うための指紋情報を記憶したり、制御手段３１０が比較等の処理を行うときデータや処理結果を一時的に記憶するためのものであり記憶手段３２０は、ナビゲーション音声記憶領域３２１と公開暗号鍵Ｋｐ１記憶領域３２２とプレーヤー認識番号記憶領域３２３と一時記憶領域３２４、指示データ記憶領域３２５で構成される。
ナビゲーション音声記憶領域３２１には、耳装着型音楽再生装置３００の操作に関するナビゲーション音声が記憶されており、制御手段３１０の指示に基づきナビゲーション音声を制御手段３１０に出力する。
【００３１】
公開暗号鍵Ｋｐ１記憶領域３２２には、秘密鍵暗号Ｋｓ１複合化された乱数ａを暗号化するための公開鍵暗号Ｋｐ１が記憶されており、制御手段３１０を介して供給される指示に基づき制御手段３１０に、公開鍵暗号Ｋｐ１を出力する。
プレーヤー認識番号記憶領域３２３には、耳装着型音楽再生装置３００と音楽データ発信装置１００が相互認識しデータの送受信が可能にするためのプレーヤー認識番号が記憶されており、制御手段３１０の指示に基づき、プレーヤー認識番号を制御手段３１０に出力する。
一時データ記憶領域３２４は、耳装着型音楽再生装置３００と音楽データ発信装置１００が、機器間認証を行う際、音楽データ発信装置１００より出力され制御手段３１０に供給された、プレーヤーＩＤ番号を一時的に記憶しておく記憶領域である。
【００３２】
指示データ記憶領域３２５には、耳装着型音楽再生装置３００の動作を指示するための指紋データが記憶されており、制御手段３１０の指示信号に基づき指紋データが、制御手段３１０を介して指紋比較手段３４５に供給する。
図８は、指示内容の詳細を示す図である。
指示データ記憶領域３２５には、指示内容３２６毎に再生３２６ａに対して３２７ａの指紋、停止３２６ｂに対して３２７ｂの指紋、早送り３２６ｃに対して３２７ｃ、巻戻し３２６ｄに対して３２７ｄというように、対応指の指紋データ３２７が記憶されている。
指示内容３２６に対応する対応指の指紋データ３２７は、使用者がナビゲーション音声に基づき、指紋入力手段３４０より入力した指紋データを制御手段３１０の指示に基づき指示内容３２６毎に指紋データを対応指の指紋データ３２７に記憶させる。
対応指の指紋データ３２７は、制御手段３１０の指示に基づき制御手段３１０を介し指紋比較手段３４５に出力され、比較される。
アンテナ３３０は、変復調手段３３７で変調された信号を音楽データ発信装置１００に出力する。又、音楽データ発信装置１００の備えるアンテナ１９６から出力された信号を受信する。
【００３３】
セットアップ完了信号入力手段３３１は、変復調手段３３７で復調されたセットアップ完了信号を、制御手段３１０に供給する。セットアップ完了信号を入力された制御手段３１０は、プレーヤー認証ＩＤ番号送信要求信号を、Ｉ／Ｆ手段３３６に出力する。
機器間認証完了通知信号出力手段３３３は、制御手段３１０より供給された、機器間認証完了通知信号を変復調手段３３７に出力する。機器間認証完了通知信号は、変復調手段３３７で変調され、アンテナ３３０より音楽データ発信装置１００に出力される。
【００３４】
プレーヤーＩＤ番号入出力手段３３４は、制御手段３１０より出力されたプレーヤーＩＤ番号供給要求信号を変復調手段３３７に供給する。
そして、プレーヤーＩＤ番号入出力手段３３４は、変復調手段３３７から復調されたプレーヤーＩＤ番号を、供給されたプレーヤーＩＤ番号を制御手段３１０に、供給する。
プレーヤーＩＤ番号を、供給された制御手段３１０は、プレーヤーＩＤ番号を一時記憶領域３２４に一時的に記憶させる。
【００３５】
音楽データ入力手段３３５は、変復調手段３３７で復調された音楽データ（Ｋｍ）を制御手段３１０に供給する。
音楽データ（Ｋｍ）を供給された制御手段３１０は、音楽データ（Ｋｍ）を暗号化された音楽データ一時記憶手段３５２に一時的に記憶させる。
Ｉ／Ｆ手段３３６は、制御手段３１０より音楽データ発信装置１００に対して出力される、Ｋｐ１暗号化手段３８０２で暗号化された暗号ａ（Ｋｐ１）、再生指示信号を変復調手段３３７に供給するものである。
そして、アンテナ３３０より変復調手段３３７に供給され復調された、復調された暗号ａ（Ｋｐ２）、信号を制御手段３１０に供給する。
変復調手段３３７は、アンテナ３３０から供給された信号を復調し、セットアップ完了信号はセットアップ完了信号入力手段３３１、プレーヤーＩＤ番号はプレーヤーＩＤ番号入力手段３３４、暗号化された音楽データは、音楽データ入力手段、その他の信号はＩ／Ｆ手段に出力する。
又、機器間認証完了通知信号出力手段３３３から出力された機器間認証完了通知信号やＩ／Ｆ手段３３６から供給される信号を変調しアンテナ３３０に出力する。
【００３６】
指紋入力手段３４０は、耳装着型音楽再生装置３００の使用者が、耳装着型音楽再生装置３００が動作するための指紋や共通鍵Ｋｍ２を生成する為に必要な指紋を入力するためのインターフェイスであり、耳装着型音楽再生装置３００の使用者が入力した指紋データを読取り、制御手段３１０に供給する。
指紋比較手段３４５は、耳装着型音楽再生装置３００の使用者が耳装着型音楽再生装置３００の動作指示を行うために指紋入力手段３４０より入力された、動作指示指紋が、どのような動作を行う為の指示し紋かを判別するためのものである。
【００３７】
図７は、指紋比較手段の詳細な構成図である。
指紋比較手段３４５は、再生指示指紋一時記憶手段３４２１ａと入力指紋一時記憶手段３２２１ｂと停止指示指紋一時記憶手段３４２２ａと入力指紋一時記憶手段３２２２ｂと早送り指示指紋一時記憶手段３４２３ａと入力指紋一時記憶手段３２２３ｂと巻戻し指示指紋一時記憶手段３４２４ａと入力指紋一時記憶手段３２２４ｂと再生指示指紋比較手段３４１−ａと停止指示指紋比較手段３４１−ｂと早送り指示指紋比較手段３４１−ｃと巻戻し指示指紋比較手段３４１−ｄで構成される。
【００３８】
使用者が耳装着型音楽再生装置３００の操作を行なうさい、耳装着型音楽再生装置３００の備える指紋入力手段３４０より操作を指示する指紋を入力すると、制御手段３１０の指示により記憶手段３２０の備える指示指紋記憶領域３２５から出力された対応指の指紋データ３２７ａは、再生指示指紋一時記憶手段３４２１ａに、対応指の指紋データ３２７ｂは停止指示指紋一時記憶手段３４２２ａに、対応指の指紋データ３２７ｃは早送り指示指紋一時記憶手段３４２３ａに、対応指の指紋データ３２７ｄは巻戻し指示指紋一時記憶手段３４２４ａに出力され一時的に記憶される。
使用者が耳装着型音楽再生装置３００の操作を行なうさい、耳装着型音楽再生装置３００の備える指紋入力手段３４０から入力された、操作を指示する指紋は、制御手段３１０により、入力指紋一時記憶手段３４２１ｂと入力指紋一時記憶手段３４２２ｂと入力指紋一時記憶手段３４２３ｂと入力指紋一時記憶手段３４２４ｂとに出力し記憶される。
【００３９】
再生指示指紋比較手段３４１−ａは、再生指示指紋一時記憶手段３４２１ａに一時的に記憶された対応指の指紋データ３２７ａと入力指紋一時記憶手段３４２１ｂに一時的に記憶された指紋情報を供給させ比較を行なう。
比較の結果、一致と判断された場合、再生指示信号生成手段３４６−ａに再生指示指紋一致信号を出力する。
比較の結果、不一致と判断された場合、再生指示信号生成手段３４６−ａにエラー信号を出力する。
【００４０】
停止指示指紋比較手段３４１−ｂは、停止指示指紋一時記憶手段３４２２ａに一時的に記憶された対応指の指紋データ３２７ｂと入力指紋一時記憶手段３４２２ｂに一時的に記憶された指紋情報を供給させ、比較を行なう。
比較の結果、一致と判断された場合、停止指示信号生成手段３４６−ｂに停止指示指紋一致信号を出力する。
比較の結果、不一致と判断された場合、停止指示信号生成手段３４６−ｂにエラー信号が出力する。
【００４１】
早送り指示指紋比較手段３４１−ｃは、早送り指示指紋一時記憶手段３４２３ａに一時的に記憶された対応指の指紋データ３２７ｃと入力指紋一時記憶手段３４２３ｂに一時的に記憶された指紋情報を供給させ比較を行なう。
比較の結果、一致と判断された場合、早送り指示信号生成手段３４６−ｃに早送り指示指紋一致信号を出力する。
比較の結果、不一致と判断された場合、早送り指示信号生成手段３４６−ｃにエラー信号を出力する。
【００４２】
巻戻し指示指紋比較手段３４１−ｄは、巻戻し指示指紋一時記憶手段３４２４ａに一時的に記憶された対応指の指紋データ３２７ｄと入力指紋一時記憶手段３４２４ｂに一時的に記憶された指紋情報を供給させ比較を行なう。
比較の結果、一致と判断された場合、巻戻し指示信号生成手段３４６−ｄに巻戻し指示指紋一致信号を出力する。
比較の結果、不一致と判断された場合、巻戻し指示信号生成手段３４６−ｄにエラー信号を出力する。
【００４３】
指示信号生成手段３４６は、再生指示信号生成手段３４６−ａと停止指示信号生成手段３４６−ｂと早送り指示信号生成手段３４６−ｃと巻戻し指示信号生成手段３４６−ｄで構成されている。
【００４４】
再生指示信号生成手段３４６−ａは、再生指示指紋比較手段３４１−ａから再生指示指紋一致信号が供給されると、再生指示信号を生成し、制御手段３１０に出力する。
又、再生指示指紋比較手段３４１−ａからエラー信号を供給されると、エラー信号を制御手段３１０に出力する。
【００４５】
停止指示信号生成手段３４６−ｂは、停止指示指紋比較手段３４１−ｂから停止指示指紋一致信号が供給されると、停止指示信号を生成し、制御手段３１０に出力する。
又、停止指示指紋比較手段３４１−ｂからエラー信号を供給されると、エラー信号を制御手段３１０に出力する。
【００４６】
早送り指示信号生成手段３４６−ｃは、早送り指示指紋比較手段３４１−ｃから早送り指示一致信号が供給されると、早送り指示信号を生成し、制御手段３１０に出力する。
又、早送り指示指紋比較手段３４１−ｃからエラー信号を供給されると、エラー信号を制御手段３１０に出力する。
【００４７】
巻戻し指示信号生成手段３４６−ｄは、巻戻し指示指紋比較手段３４１−ｄから巻戻し指示一致信号が供給されると、巻戻し指示信号を生成し、制御手段３１０に出力する。
又、巻戻し指示指紋比較手段３４１−ｄからエラー信号を供給されると、エラー信号を制御手段３１０に出力する。
【００４８】
暗号化された音楽データ複合手段３５０は、暗号化された音楽データ一時記憶手段３５２から一時的に記憶された音楽データ（Ｋｍ）を供給されると、暗号解除鍵一時記憶手段３５１から共通鍵Ｋｍ２を供給させ、音楽データを複合化し復号化した音楽データを、音楽・音声データ処理手段３６０に出力する。
共通鍵一時記憶手段３５１は、共通鍵計算手段３８０５で生成され制御手段３１０を介して供給された共通鍵Ｋｍ２を一時的に記憶する。
そして、暗号化された音楽データ複合手段３５０の指示により共通鍵Ｋｍ２を暗号化された音楽データ複合手段３５０に供給する。
暗号化された音楽データ一時記憶手段３５２は、制御手段３１０から供給された暗号化された音楽データ（Ｋｍ）１を一時的に記憶する。
そして、制御手段３１０の指示により暗号化された音楽データ（Ｋｍ）１を暗号化された音楽データ複合手段３５０に出力する。
音楽・音声データ処理手段３６０は、制御手段３１０の指示に基づき供給された、記憶手段３２０の備える指示データ記憶領域３２５の記憶する操作指示音声や、エラー音声を再生しスピーカー３７０に供給する。
又、暗号化された音楽データ複合手段３５０で複合された音楽データや音声データを、再生しスピーカー３７０に供給する。
スピーカー３７０は、音楽・音声データ処理手段３６０より供給された、再生された音楽や音声を耳装着型音楽再生装置３００の使用者の聴覚で認識できるよう出力するものである。
【００４９】
図６は、共通鍵生成手段３８０の詳細を示す。
共通鍵生成手段３８０は、復号化手段３８０１と、Ｋｐ１暗号化手段３８０２と、秘密鍵Ｋｓ２記憶手段３８０３と、指紋数値化手段３８０４と、共通鍵計算手段３８０５で構成される。
復号化手段３８０１は、制御手段３１０から暗号ａ（Ｋｐ２）を供給されると秘密鍵Ｋｓ２記憶手段３８０３の記憶する秘密鍵Ｋｓ２を供給させる。
そして暗号ａ（Ｋｐ２）は、秘密鍵Ｋｓ２により複合化され乱数ａ２になる。ａ（Ｋｐ２）は、秘密鍵Ｋｓ２で復号が可能であり、偶然あるいは、悪意を持った第三者が暗号ａ（Ｋｐ２）を傍受し複合化しようとした場合でも、容易に複合化することは出来ない。
そして、複合化された乱数ａ２は、Ｋｐ１暗号化手段３８０２に及び共通鍵計算手段３８０５に出力される。
Ｋｐ１暗号化手段３８０２は、乱数ａ２を供給されると、制御手段３１０を介し記憶手段３２０の備える公開鍵暗号Ｋｐ１記憶領域３２２に公開鍵暗号Ｋｐ１を供給するよう指示を出す。
そして、乱数ａ２を公開鍵Ｋｐ１により暗号化し生成された暗号ａ（Ｋｐ１）を制御手段３１０に供給する。
【００５０】
秘密鍵Ｋｓ２記憶手段３８０３は、公開鍵Ｋｐ２で暗号化された暗号を復号化することのできる秘密鍵Ｋｓ２を記憶しており、暗号ａ（Ｋｐ２）を供給された復号化手段３８０１の指示に基づき秘密鍵Ｋｓ２を復号化手段３８０１に供給する。
指紋数値化手段３８０４は、共通鍵Ｋｍ２を生成する為に必要な数値Ｓ２の生成を行なう。指紋入力手段３４０から入力され、制御手段３１０を介して供給された指紋データを前記記載の、指紋数値化手段１２０６と同様の方法で数値化し、共通鍵計算手段３８０５に供給する。
共通鍵計算手段３８０５は、前記記載の復号化手段３８０１で復号化された乱数ａ２と、前記記載の指紋数値化手段３８０４で数値化された指紋数値化データＳ２を用いて共通鍵Ｋｍ２を生成し、共通鍵Ｋｍ２を、制御手段３１０を介して、共通鍵一時記憶手段３５１に記憶させる。
【００５１】
図９は、音楽データ記憶媒体を示す図であり、制御手段２１０と、Ｉ／Ｆ手段２０１と、音楽データ記憶領域２０２と、指紋データ記憶領域２０３とで構成されている。
制御手段２１０は、指紋データ供給要求信号を供給されると指紋データ記憶領域２０３に対し、指紋データを出力するよう指示する。
又、音楽データ出力要求信号を供給されると、音楽データ記憶領域２０２に対し、音楽データを出力するよう指示信号を出力する。
Ｉ／Ｆ手段２０１は、音楽データ記憶媒体リーダライター４００を介して供給される、音楽データや指紋データを制御手段２１０に供給したり、音楽データ発信装置１００から供給される指示信号や、要求信号を制御手段２１０に供給する為の、インターフェイスである。
音楽データ記憶領域２０２は、音楽データ記憶媒体リーダライター４００を介して供給される音楽データを記憶する。
そして、制御手段２１０からの指示信号や要求信号に基づき、音楽データをＩ／Ｆ手段２０１に出力を行なう。
指紋データ記憶領域２０３は、音楽データ記憶媒体リーダライター４００を介して供給された指紋データを記憶する。
そして、制御手段２１０からの指示信号や要求信号に基づき、音楽データをＩ／Ｆ手段２０１に出力を行なう。
図１０は、音楽データを音楽データ記憶媒体２００に記憶させるステップを示すフローチャートである。
【００５２】
図１１、図１２、図１３、図１４は、耳装着型音楽再生装置３００の電源のＯＮから耳装着型音楽再生装置３００の使用者を登録するまでのステップを示すフローチャートである。
【００５３】
図１５は、音楽データを再生するステップを示すフローチャートである。
【００５４】
図１６は、耳装着型音楽再生装置３００の動作を停止するステップを示すフローチャートである。
【００５５】
図１７は、音楽データの早送り動作を行なうステップを示すフローチャートである。
【００５６】
図１８は、音楽データの巻き戻し動作を行なうステップを示すフローチャートである。
【００５７】
パーソナルコンピュータ５００に、音楽データ記憶媒体リーダライター４００と指紋データ読取り装置４５０を接続する。音楽データを音楽配信サーバーからダウンロードするときは、パーソナルコンピュータ５００を、音楽配信サーバー７００に接続されたネットワーク網６００に接続し、電源を投入する。
音楽データ記憶媒体リーダライター４００に音楽データ記憶媒体２００をセットする。
パーソナルコンピュータ５００を介し、音楽ＣＤに記録された音楽データ又は音楽配信サーバー７００より配信される音楽データを、接続されたネットワーク網６００を通じ音楽データ記憶媒体リーダライター４００にセットされた音楽データ記憶媒体２００の備える音楽データ記憶領域２０２記憶させる。（ステップステップＳ０１）
次に指紋データ読取り装置４５０に使用者の指紋を読取らせ、音楽データ記憶媒体リーダライター４００を介して、音楽データ記憶媒体２００の備えるＩ／Ｆ手段２０１を介して指紋データ記憶領域２０３に供給され記憶させる。（ステップＳ０２）
次に音楽データ記憶媒体２００を音楽データ発信装置１００に装着する。（ステップＳ０３）
【００５８】
耳装着型音楽再生装置３００の電源をパワーオンにすると耳装着型音楽再生装置３００の備える、制御手段３１０は、記憶手段３２０に格納されている指示データ記憶領域３２５の指示内容３２６対応する指示指紋３２７が記録されているかを判断する。（ステップＳ０４〜ステップＳ０５）
指示データ記憶領域３２５の指示内容３２６対応する指示指紋３２７が記録されていない場合、制御手段３１０は、ナビゲーション音声記憶領域３２１から「操作に必要な指紋が登録されていません。指紋を登録しますか？登録する場合は指紋入力手段に軽く触れてください。登録しない場合は、電源を切って操作を終了して下さい。」のメッセージを読出し音楽・音声データ処理手段３６０で再生し、スピーカー３７０に出力するよう指示する。
【００５９】
使用者はスピーカー３７０から出力されるメッセージに従い指紋の登録を行うか否かの選択を行なう。（ステップＳ０６）
指紋の登録を行わない場合は、耳装着型音楽再生装置３００の電源を切り操作を終了する。（ステップＳ０７）
指紋の登録を行う場合、使用者は、メッセージの指示に従い耳装着型音楽再生装置３００に備えられた指紋入力手段３４０に軽く触れる。
指紋入力手段３４０から入力された使用者のタッチ信号は、制御手段３１０に供給される。
【００６０】
タッチ信号を供給された制御手段３１０は、新たな使用者が登録されることと判断し、ナビゲーション音声記憶領域３２１から次の指示である「再生を指示する指紋を入力してください。」のメッセージを読出し音楽・音声データ処理手段３６０で再生し、スピーカー３７０に出力するよう指示する。
使用者は指紋入力手段３４０に、使用者自らが決めた指の指紋を読取らせる。（ステップＳ０８）
指紋入力手段３４０に入力された指紋は、制御手段３１０を介して記憶手段３２０に格納されている指示データ記憶領域３２５内の再生３２６ａに対応する３２７ａに記憶する。（ステップＳ０９）
【００６１】
次にナビゲーション音声記憶領域３２１から次の指示である「停止を指示する指紋を入力してください。」のメッセージを読出し音楽・音声データ処理手段３６０で再生し、スピーカー３７０に出力する。
使用者は指紋入力手段３４０に、使用者自らが決めた指の指紋を読取らせる。ただし再生指示読取らせた指と同じ指の指紋は使用しない。（ステップＳ１０）指紋入力手段３４０に入力された指紋は、制御手段３１０を介して記憶手段３２０に格納されている指示データ記憶領域３２５内の停止３２６ｂに対応する３２７ｂに記憶する。（ステップＳ１１）
次にナビゲーション音声記憶領域３２１から次の指示である「早送りを指示する指紋を入力してください。」のメッセージを読出し音楽・音声データ処理手段３６０で再生し、スピーカー３７０に出力する。
使用者は指紋入力手段３４０に、使用者自らが決めた指の指紋を読取らせる。ただし再生指示と停止指示で読取らせた指と同じ指の指紋は使用しない。（ステップＳ１２）
【００６２】
指紋入力手段３４０に入力された指紋は、制御手段３１０を介して記憶手段３２０に格納されている指示データ記憶領域３２５内の早送３２０ｃに対応する３２７ｃに記憶する。（ステップＳ１３）
次にナビゲーション音声記憶領域３２１から次の指示である「巻戻を指示する指紋を入力してください。」のメッセージを読出し音楽・音声データ処理手段３６０で再生し、スピーカー３７０に出力する。
使用者は指紋入力手段３４０に、使用者自らが決めた指の指紋を読取らせる。ただし再生指示と停止指示、早送り指示で読取らせた指と同じ指の指紋は使用しない。（ステップＳ１４）
指紋入力手段３４０に入力された指紋は、制御手段３１０を介して記憶手段３２０に格納されている指示データ記憶領域３２５内の巻戻し３２０ｄに対応する３２７ｄに記憶する。（ステップＳ１５）
【００６３】
この実施例では各々の指示内容に対応する指紋に別々の指を使用しているが、同じ指で一定時間内に入力する回数によって指示する内容を変更しても良い。
次に耳装着型音楽再生装置３００の備える、制御手段３１０よりセットアップ完了確認信号が発信される。
セットアップ完了確認信号はセットアップ完了確認信号３３２を介し変復調手段３３７に供給される。
変復調手段３３７は、セットアップ完了確認信号をアンテナ３３０より無線出力が可能になるように、変調する。
変調されたセットアップ完了確認信号はアンテナ３３０より出力される。（ステップＳ１６）
音楽データ発信装置１００の備えるアンテナ１９６は、アンテナ３３０より出力した変調されたセットアップ完了確認信号を受信する。（ステップＳ１７）
アンテナ１９６に受信された変調されたセットアップ完了確認信号は、セパレーター１９０に送信される。
【００６４】
セパレーター１９０は、変調されたセットアップ完了確認信号を電力と情報信号に分波を行ない、電力は電源回路１９５に供給され情報信号は復調回路１９１に供給される。（ステップＳ１８）
電源回路１９５に供給された電力は整流され音楽データ発信装置１００全体に電源が供給される。音楽データ発信装置１００はパワーオン、つまりリセット動作を開始する。（ステップＳ１９）
前記リセット動作は、制御手段１１０で制御されパワーオン、リセット動作が完了すると、セットアップ完了信号出力手段１７０からセットアップ完了信号は、情報入出力手段１８０へ出力される。
セットアップ完了信号を供給された情報入出力手段１８０は変調手段１９２へセットアップ完了信号を出力する。
セットアップ完了信号は、変調手段１９２で変調されアンテナ１９６から耳装着型音楽再生装置３００の備えるアンテナ３３０に出力される。（ステップＳ２０〜ステップＳ２１）
【００６５】
音楽データ発信装置１００がセットアップ状態に無いときは、セットアップ完了信号は非アクティブ状態を示す情報を出力する。非アクティブ状態では、音楽データ発信装置１００に備えられた情報入出力手段１８０は非アクティブ状態となっている。すなわち外部から入力信号が入力されても制御手段１１０には該入力情報は取込まれない。セットアップ完了信号がアクティブ信号を出力すると情報入出力手段１８０がアクティブ状態となり、音楽データ発信装置１００と耳装着型音楽再生装置３００の情報交換が可能となる。（ステップＳ２２）
音楽データ発信装置１００の備えるアンテナ１９６より発信されたセットアップ完了信号は、耳装着型音楽再生装置３００の備えるアンテナ３３０に受信される。（ステップＳ２３）
【００６６】
アンテナ３３０は、セットアップ完了信号を変復調手段３３７に供給する。
セットアップ完了信号は、変復調手段３３７で復調されセットアップ完了信号入力手段３３１へ出力される。（ステップＳ２４）
セットアップ完了信号が、セットアップ完了信号入力手段３３１から制御手段３１０に供給されると、制御手段３１０は、プレーヤー認識番号送信要求信号を出力する。
プレーヤー認識番号送信要求信号は、プレーヤーＩＤ番号入出力手段３３４を介して変復調手段３３７に供給される。
プレーヤー認識番号送信要求信号は、変復調手段３３７で変調されアンテナ３３０から音楽データ発信装置１００の備えるアンテナ１９６に出力される。（ステップＳ２５）
【００６７】
耳装着型音楽再生装置３００の備えるアンテナ３３０より出力されたプレーヤー認識番号送信要求信号は、音楽データ発信装置１００の備えるアンテナ１９６に受信される。（ステップＳ２６）
アンテナ１９６で受信されたプレーヤー認識番号送信要求信号は、セパレーター１９０に供給し、情報部分の信号と電力部分の信号に分波する。情報部分の信号は復調手段１９１で復調し、情報入出力手段１８０に出力する。電力部分の信号の処理に付いては前記セットアップ完了確認信号を受信したさいと同じ動作になるので繰り返し述べない。（ステップＳ２７）
プレーヤー認識番号送信要求信号を供給された情報入出力手段１８０はＩ／Ｆ手段１８５を介して制御手段１１０にプレーヤー認識番号送信要求信号を出力する。
【００６８】
プレーヤー認識番号送信要求信号を供給された制御手段１１０はプレーヤー認識ＩＤ記憶手段１６５にプレーヤー認識ＩＤ番号を出力させる。
プレーヤー認識ＩＤ記憶手段１６５から出力されたプレーヤー認識ＩＤ番号は、制御手段１１０を介しプレーヤーＩＤ出力手段１８３に供給する。
プレーヤーＩＤ出力手段１８３は、供給されたプレーヤー認識ＩＤ番号をプレーヤーＩＤ番号出力手段１８３を介し変調手段１９２に供給する。
プレーヤー認識ＩＤ番号を供給された変調手段１９２は、プレーヤー認識ＩＤ番号を変調しアンテナ１９６から発信する。（ステップＳ２８）
音楽データ発信装置１００の備えるアンテナ１９６より出力されたプレーヤー認識ＩＤ番号は、耳装着型音楽再生装置３００の備えるアンテナ３３０に受信される。（ステップＳ２９）
【００６９】
アンテナ３３０は、プレーヤー認識番号を変復調手段３３７に供給しプレーヤー認識ＩＤ番号を復調しプレーヤーＩＤ番号入力手段３３４に出力する。（ステップＳ３０）
プレーヤー認識ＩＤ番号を供給されたプレーヤーＩＤ番号入力手段３３４は、プレーヤー認識番号を制御手段３１０に出力する。
次に制御手段３１０は、記憶手段３２０に格納されているプレーヤー認識番号記憶領域３２３にプレーヤー認識番号を制御手段３１０に供給させる。
制御手段３１０は前記プレーヤーＩＤ番号入力手段３３４より供給されたプレーヤー認識ＩＤ番号と、前記プレーヤー認識番号記憶領域３２３から供給されたプレーヤー認識番号の比較を行なう。（ステップＳ３１）
前記プレーヤーＩＤ番号入力手段３３４より供給されたプレーヤー認識ＩＤ番号と、前記プレーヤー認識番号記憶領域３２３から供給されたプレーヤー認識番号の比較の結果、一致しない場合は、「接続できる音楽データ発信装置がありません。」のメッセージを出力し、耳装着型音楽再生装置３００は、電源を切り操作を終了する。（ステップＳ３２）
【００７０】
前記プレーヤーＩＤ番号入力手段３３４より供給されたプレーヤー認識ＩＤ番号と、前記プレーヤー認識番号記憶領域３２３から供給されたプレーヤー認識番号の比較の結果、一致した場合、制御手段３１０は、機器間認証完了通知信号を機器間認証完了通知信号出力手段３３３を介し変復調手段３３７に出力する。
機器間認証完了通知信号を供給された変復調手段３３７は、機器間認証完了通知信号を変調しアンテナ３３０を介して発信される。（ステップＳ３３）
耳装着型音楽再生装置３００の備えるアンテナ３３０より出力された機器間認証完了通知信号は音楽データ発信装置１００の備えるアンテナ１９６に受信される。（ステップＳ３４）
【００７１】
アンテナ１９６は、変調された機器間認証完了通知信号を受信すると、セパレーター１９０に変調された機器間認証完了通知信号を供給し、情報部分の信号と電力部分の信号に分波する。情報部分の信号は復調手段１９１で復調し、情報入出力手段１８０に出力する。電力部分の信号の処理に付いては前記セットアップ完了確認信号を受信したさいと同じ動作になるので繰り返し述べない。（ステップＳ３５）
機器間認証完了通知信号を供給された情報入出力手段１８０は、機器間認証完了通知信号入力手段１８２を介し制御手段１１０に機器間認証完了通知信号を出力する。
機器間認証完了通知信号を供給された制御手段１１０は、共通鍵生成手段１２０の備える乱数発生手段１２０１に乱数ａを発生するよう指示する。（ステップＳ３６）
【００７２】
乱数発生手段１２０１で生成された乱数ａは、Ｋｐ２暗号化手段１２０２に供給される。
乱数ａを供給されたＫｐ２暗号化手段１２０２は、制御手段１１０を介し公開暗号鍵Ｋｐ２記憶手段１６０に公開暗号鍵Ｋｐ２を供給させる。
Ｋｐ２暗号化手段１２０２は、乱数ａを公開暗号鍵Ｋｐ２により暗号化する。公開暗号鍵Ｋｐ２にて暗号化された乱数ａを暗号ａ（Ｋｐ２）とする。（ステップＳ３７）
暗号ａ（Ｋｐ２）は、制御手段１１０を介してＩ／Ｆ手段１８５に出力される。
暗号ａ（Ｋｐ２）を供給されたＩ／Ｆ手段１８５は、情報入出力手段１８０を介して変調手段１９２に暗号ａ（Ｋｐ２）を出力する。
暗号ａ（Ｋｐ２）を供給された変調手段１９２は、暗号ａ（Ｋｐ２）を変調しアンテナ１９６より出力される。（ステップＳ３８）
音楽データ発信装置１００の備えるアンテナ１９６より出力された暗号ａ（Ｋｐ２）は、耳装着型音楽再生装置３００の備えるアンテナ３３０に受信される。（ステップＳ３９）
【００７３】
アンテナ３３０に受信された暗号ａ（Ｋｐ２）は、復変調手段３３７に出力され、暗号ａ（Ｋｐ２）は、複変調手段３３７で復調される。（ステップＳ４０）
復調された暗号ａ（Ｋｐ２）は、Ｉ／Ｆ手段３３６を介して制御手段３１０に供給される。
暗号ａ（Ｋｐ２）を供給された制御手段３１０は、記憶手段３２０の備えるナビゲーション音声記憶領域３２１に使用者に対し、音楽データ記憶媒体２００に記憶させた指紋を入力するよう促すメッセージを出力するよう指示する。
音楽データ記憶媒体２００に記憶させた指紋入力を促すメッセージは、音楽・音声データ処理手段３６０で再生されスピーカー３７０を通じて使用者に伝えられる。（ステップＳ４１）
さらに制御手段３１０は、供給された暗号ａ（Ｋｐ２）を共通鍵生成手段３８０の備える複合化手段３８０１に出力する。（ステップＳ４２）
【００７４】
音楽データ記憶媒体２００に記憶させた指紋入力を促すメッセージを聞いた使用者は、指紋入力手段３４０に音楽データ記憶媒体２００に記憶させた自らの指紋を読取らせる。（ステップＳ４３）
指紋入力手段３４０に供給された指紋データは、制御手段３１０を介して共通鍵生成手段３８０の備える指紋数値化手段３８０４に供給される。（ステップＳ４４）
指紋データを供給された入力指紋数値化手段３８０４は、図４に示すようなマトリクス上に指紋データは展開される。
【００７５】
本実施例の場合、縦軸Ａ列からＨ列までの８列と横軸１行から８行までの８行のマトリクスで行なう事とする。
例えば、Ａ列１行目の桝目には、指紋データの紋様が記録されていないので０とする。Ｂ列１行目の桝目にも、指紋データの紋様が記録されていないので０とする。Ｃ列１行目の桝目には、指紋データの紋様が記録されているので１とする。このように指紋データの紋様が記録されていない桝目を０、指紋データの紋様が記録されていない桝目を１とし指紋データの数値化を行なう。
当実施例の場合、縦軸Ａ列からＨ列までの８列と横軸１行から８行までの８行のマトリクスをとっているので最大６４ビットの数値を作ることが可能であるが、精度高上を図るためには、マトリクスの細分化を行なうことで指紋認識精度を高上することが可能である。
又、指紋の分岐点や端点等の指紋の特徴点を取出した上で、マトリクス上に指紋データを展開し数値化しても良い。（ステップＳ４５）
前記、指紋数値化手段３８０４で数値化された指紋データ、指紋数値データＳ２は、共通鍵計算手段３８０５に供給される。（ステップＳ４６）
前記、暗号ａ（Ｋｐ２）を供給された複合化手段３８０１は、秘密鍵Ｋｓ２記憶手段３８０３の記憶する秘密鍵Ｋｓ２を供給させる。（ステップＳ４７）
前記、複合化手段３８０１に供給された暗号ａ（Ｋｐ２）は、秘密鍵Ｋｓ２により複合化され乱数ａ２になる。
ａ（Ｋｐ２）は、秘密鍵Ｋｓ２で復号が可能であり、偶然あるいは、悪意を持った第三者が暗号ａ（Ｋｐ２）を傍受し複合化しようとした場合でも、容易に複合化することは出来ない。（ステップＳ４８）
【００７６】
ステップＳ４７で複合化された乱数ａ２は、Ｋｐ１暗号化手段３８０２に及び共通鍵計算手段３８０５に供給される。（ステップＳ４９）
乱数ａ２を供給された共通鍵計算手段３８０５は、乱数ａ２と前記供給された指紋数値データＳ２から共通鍵Ｋｍ２を計算する。（ステップＳ５０）
共通鍵計算手段３８０５で生成された共通鍵Ｋｍ２は、制御手段３１０に出力される。（ステップＳ５１）
共通鍵計算手段３８０５より共通鍵Ｋｍ２を供給された制御手段３１０は、共通鍵Ｋｍ２を共通鍵一時記憶手段３５１に出力され、共通鍵Ｋｍ２は、共通鍵一時記憶手段３５１に一時的に記憶される。（ステップＳ５２）
前記ステップＳ４９にて乱数ａ２を供給されたＫｐ１暗号化手段３８０２は、制御手段３１０を介し記憶手段３２０の備える公開鍵暗号Ｋｐ１記憶領域３２２に公開鍵暗号Ｋｐ１を供給するよう指示を出す。（ステップＳ５３）
公開鍵暗号Ｋｐ１を供給されたＫｐ１暗号化手段３８０２は、乱数ａ２を公開鍵暗号Ｋｐ１で暗号化する。公開暗号鍵Ｋｐ１にて暗号化された乱数ａを暗号ａ（Ｋｐ１）とする。（ステップＳ５４）
Ｋｐ１暗号化手段３８０２で暗号化された暗号ａ（Ｋｐ１）は、制御手段３１０を介してＩ／Ｆ手段３３６に出力される。
暗号ａ（Ｋｐ１）を供給されたＩ／Ｆ手段３３６は、変復調手段３３７に暗号ａ（Ｋｐ１）出力される。暗号ａ（Ｋｐ１）は、変復調手段３３７で変調されアンテナ３３０から出力される。（ステップＳ５５）
共通鍵一時記憶手段３５１に一時的に共通鍵Ｋｍ２が記憶され暗号ａ（Ｋｐ１）がアンテナ３３０が出力された場合、耳装着型音楽再生装置３００は、指紋入力手段３４０に動作指示指紋が入力されるまで待機状態になる。（ステップＳ５６）
【００７７】
耳装着型音楽再生装置３００の備えるアンテナ３３０から出力された暗号ａ（Ｋｐ１）は、音楽データ発信装置１００の備えるアンテナ１９６に受信される。（ステップＳ５７）
アンテナ１９６で受信された暗号ａ（Ｋｐ１）は、セパレーター１９０に供給され暗号ａ（Ｋｐ１）は、電力と情報信号に分波を行ない、電力は電源回路１９５に供給され情報信号は復調手段１９１に供給される。（ステップＳ５８）
暗号ａ（Ｋｐ１）の情報部分は、復調手段１９１で復調され、情報入出力手段１８０に出力される。電力部分の変調された暗号ａ（Ｋｐ１）信号の処理に付いては前記セットアップ完了確認信号を受信したさいと同じ動作になるので繰り返し述べない。（ステップＳ５９）
暗号ａ（Ｋｐ１）を供給された情報入出力手段１８０は、Ｉ／Ｆ手段１８５を介して制御手段１１０に暗号ａ（Ｋｐ１）を出力する。
暗号ａ（Ｋｐ１）を供給された制御手段１１０は、共通鍵生成手段１２０の備える複合化手段１２０３に暗号ａ（Ｋｐ１）を出力する。（ステップＳ６０）
暗号ａ（Ｋｐ１）を供給された複合化手段１２０３は、秘密鍵Ｋｓ１記憶手段１２０５に秘密鍵Ｋｓ１を供給するよう指示をする。秘密鍵Ｋｓ１記憶手段１２０５は、指示に基づき複合化手段１２０３に秘密鍵Ｋｓ１を供給する。（ステップＳ６１）
【００７８】
複合化手段１２０３は、秘密鍵Ｋｓ１を用いて暗号ａ（Ｋｐ１）を複合化する。複合化された暗号ａ（Ｋｐ１）は、乱数ａ１となり共通鍵計算手段１２０４に供給される。
公開暗号鍵Ｋｐ１で暗号化された乱数ａは、秘密鍵Ｋｓ１で復号が可能であり、偶然あるいは、悪意を持った第三者が暗号ａ（Ｋｐ１）を傍受し複合化しようとした場合でも、容易に複合化することは出来ない。（ステップＳ６２）
乱数ａ１を供給された共通鍵計算手段１２０４は、制御手段１１０に対し、指紋データ供給要求信号を出力する。
記憶指紋データ供給要求信号を供給された制御手段１１０は、記憶媒体接続手段１５０を介して、音楽データ記憶媒体２００の備えるＩ／Ｆ手段２０１に対し指紋データ供給要求信号を出力する。（ステップＳ６３）
【００７９】
音楽データ発信装置１００の備える記憶媒体接続手段１５０より出力された指紋データ供給要求信号は、音楽データ記憶媒体２００の備えるＩ／Ｆ手段２０１に供給される。（ステップＳ６４）
指紋データ供給要求信号は、Ｉ／Ｆ手段２０１より制御手段２１０に供給する。（ステップＳ６５）
指紋データ供給要求信号を供給された制御手段２１０は、指紋データ記憶領域２０３に対し、指紋データを出力するよう指示する。（ステップＳ６６）
指紋データ出力指示信号を供給された指紋データ記憶領域２０３は、前記、指紋データ読取り装置４５０から入力され、指紋データ記憶領域２０３に記憶されている指紋データをＩ／Ｆ手段２０１に出力する。
指紋データを供給されたＩ／Ｆ手段２０１は、音楽データ発信装置１００の備える記憶媒体接続手段１５０に出力する。（ステップＳ６７）
音楽データ発信装置１００の備える記憶媒体接続手段１５０は、音楽データ記憶媒体２００の備える、Ｉ／Ｆ手段２０１より出力された指紋データを受信する。
【００８０】
指紋データを供給された記憶媒体接続手段１５０は、制御手段１１０に指紋データを供給する。（ステップＳ６８）
制御手段１１０は指紋データを共通鍵生成手段１２０の備える指紋数値化手段１２０６に対し指紋データを出力する。
指紋データを供給された指紋数値化手段１２０６は、前記指紋数値化手段３８０４と同様の方法で、前記指紋数値化手段１２０６に供給された指紋データを数値化する。（ステップＳ６９）
指紋数値化手段１２０６で数値化された指紋数値データＳ１は、共通鍵計算手段１２０４に出力される。（ステップＳ７０）
共通鍵計算手段１２０４は、指紋数値データＳ１と前記複合化手段１２０３より供給された乱数ａ１から、共通鍵Ｋｍ１を計算し、共通鍵一時記憶手段１３０に出力される。
【００８１】
共通鍵計算手段１２０４に供給された乱数ａ１と共通鍵計算手段３８０５に供給された乱数ａ２、共通鍵計算手段１２０４に供給された指紋数値データＳ１と共通鍵計算手段３８０５に供給された指紋数値データＳ２が同一のものであれば、共通鍵計算手段１２０４で計算される共通鍵Ｋｍ１と、共通鍵計算手段３８０５で計算される共通鍵Ｋｍ２とは、同一のものになる。
今回の実施例の場合、偶発的あるいは、悪意を持った第三者が改竄されない限り、乱数発生手段１２０１で発生した乱数ａと秘密鍵Ｋｓ１によって複合化された乱数ａ１と、秘密鍵Ｋｓ２で複合化された乱数ａ２は等しいものになる。
音楽データ記憶媒体２００に音楽データを記録した人物と、耳装着型音楽再生装置３００を用いて音楽データ記憶媒体２００に記録されている音楽データを再生しようとしている人物が同一の人物であれば、指紋数値データＳ１と指紋数値データＳ２は同一のものに成る。
共通鍵Ｋｍ１で暗号化したデータは、共通鍵Ｋｍ２で複合化することが可能である。又共通鍵Ｋｍ２で暗号化したデータは、共通鍵Ｋｍ１で複合化することが可能である。
【００８２】
耳装着型音楽再生装置３００の使用者と音楽データ記憶媒体２００に記憶した者が異なる場合は、指紋数値データＳ１と指紋数値データＳと２が異なるため、共通鍵計算手段１２０４で計算される共通鍵Ｋｍ１と、共通鍵計算手段３８０５で計算される共通鍵Ｋｍ２とは、異なる。
また偶発的あるいは、悪意を持った第三者に秘密鍵Ｋｓ１によって複合化された乱数ａ１と、秘密鍵Ｋｓ２で複合化された乱数ａ２が改竄された場合も共通鍵計算手段１２０４で計算される共通鍵Ｋｍ１と、共通鍵計算手段３８０５で計算される共通鍵Ｋｍ２とは、異なる。
つまり共通鍵Ｋｍ１で暗号化したデータは、共通鍵Ｋｍ２で複合化することは、不可能である。又共通鍵Ｋｍ２で暗号化したデータも、共通鍵Ｋｍ１で複合化することも不可能である。（ステップＳ７１）
共通鍵Ｋｍ１を供給された共通鍵一時記憶手段１３０は、共通鍵Ｋｍ１を一時的に記憶する。（ステップＳ７２）
音楽データ発信装置１００は、耳装着型音楽再生装置３００より発信された、指示信号を受信するまで待機状態になる。（ステップＳ７３）
【００８３】
使用者が耳装着型音楽再生装置３００の操作を行なうさい使用者は、前記、指示データ記憶領域３２５内の再生３２６ａに対応する３２７ａに記憶された指紋を、耳装着型音楽再生装置３００の備える指紋入力手段３４０より入力する。（ステップＳ７４）
指紋入力手段３４０より入力された指紋情報は、制御手段３１０に供給される。
指紋情報を供給された制御手段３１０は、指紋比較手段３４５の備える入力指紋一時記憶手段３４２１ｂと入力指紋一時記憶手段３４２２ｂと入力指紋一時記憶手段３４２３ｂと入力指紋一時記憶手段３４２４ｂとに出力し記憶させる。（ステップＳ７５）
次に制御手段３１０は、記憶手段３２０の備える指示指紋記憶領域３２５に対し、対応指の指紋データ３２７ａは再生指示指紋一時記憶手段３４２１ａに、対応指の指紋データ３２７ｂは停止指示指紋一時記憶手段３４２２ａに、対応指の指紋データ３２７ｃは早送り指示指紋一時記憶手段３４２３ａに、対応指の指紋データ３２７ｄは巻戻し指示指紋一時記憶手段３４２４ａに出力するように指示する。（ステップＳ７６）
【００８４】
記憶手段３２０の備える指示指紋記憶領域３２５より出力された指示内容に対応する対応指の指紋データ３２７ａは再生指示指紋一時記憶手段３４２１ａに、対応指の指紋データ３２７ｂは停止指示指紋一時記憶手段３４２２ａに、対応指の指紋データ３２７ｃは早送り指示指紋一時記憶手段３４２３ａに、対応指の指紋データ３２７ｄは巻戻し指示指紋一時記憶手段３４２４ａに、一時的に記憶される。（ステップＳ７７）
再生指示指紋一時記憶手段３４２１ａに一時的に記憶された対応指の指紋データ３２７ａと入力指紋一時記憶手段３４２１ｂに一時的に記憶された指紋情報は、再生指示指紋比較手段３４１−ａに供給され比較される。（ステップＳ７８）
停止指示指紋一時記憶手段３４２２ａに一時的に記憶された対応指の指紋データ３２７ｂと入力指紋一時記憶手段３４２２ｂに一時的に記憶された指紋情報は、停止指示指紋比較手段３４１−ｂに供給され比較される。（ステップＳ７９）
早送り指示指紋一時記憶手段３４２３ａに一時的に記憶された対応指の指紋データ３２７ｃと入力指紋一時記憶手段３４２３ｂに一時的に記憶された指紋情報は、早送り指示指紋比較手段３４１−ｃに供給され比較される。（ステップＳ８０）
【００８５】
巻戻し指示指紋一時記憶手段３４２４ａに一時的に記憶された対応指の指紋データ３２７ｄと入力指紋一時記憶手段３４２４ｂに一時的に記憶された指紋情報は、巻戻し指示指紋比較手段３４１−ｄに供給され比較される。（ステップＳ８１）
比較の結果、再生指示指紋比較手段３４１−ａが、一致と判断された場合、再生指示信号生成手段３４６−ａに再生指示指紋一致信号が出力される。（ステップＳ８２）
比較の結果、再生指示指紋比較手段３４１−ａが、不一致と判断された場合、再生指示信号生成手段３４６−ａにエラー信号が出力される。（ステップＳ８３）
比較の結果、停止指示指紋比較手段３４１−ｂが、一致と判断された場合、停止指示信号生成手段３４６−ｂに停止指示指紋一致信号が出力される。（ステップＳ８４）
比較の結果、停止指示指紋比較手段３４１−ｂが、不一致と判断された場合、停止指示信号生成手段３４６−ｂにエラー信号が出力される。（ステップＳ８５）
比較の結果、早送り指示指紋比較手段３４１−ｃが、一致と判断された場合、早送り指示信号生成手段３４６−ｃに早送り指示指紋一致信号が出力される。（ステップＳ８６）
【００８６】
比較の結果、早送り指示指紋比較手段３４１−ｃが、不一致と判断された場合、早送り指示信号生成手段３４６−ｃにエラー信号が出力される。（ステップＳ８７）
比較の結果、巻戻し指示指紋比較手段３４１−ｄが、一致と判断された場合、巻戻し指示信号生成手段３４６−ｄに巻戻し指示指紋一致信号が出力される。（ステップＳ８８）
比較の結果、巻戻し指示指紋比較手段３４１−ｄが、不一致と判断された場合、巻戻し指示信号生成手段３４６−ｄにエラー信号が出力される。（ステップＳ８９）
前記比較の結果、指示信号生成手段３４６の備える再生指示信号生成手段３４６−ａ又は、停止指示信号生成手段３４６−ｂ又は、早送り指示信号生成手段３４６−ｃ又は、巻戻し指示信号生成手段３４６−ｄのいずれかに指示信号が供給された場合は、供給された指示信号に基づき動作を行なう。（ステップＳ９０）
前記比較の結果、再生指示指紋比較手段３４１−ａと停止指示指紋比較手段３４１−ｂと早送り指示指紋比較手段３４１−ｃと巻戻し指示指紋比較手段３４１−ｄとが不一致を示すエラー信号を出力した場合、エラー信号が処理手段３１０に出力される。
【００８７】
エラー信号を供給された処理手段３１０は、記憶手段３２０の備えるナビゲーション音声記憶領域３２１にエラーメッセージを出力するよう指示する。
エラー信号を供給されたナビゲーション音声記憶領域３２１は、制御手段３１０を介し音楽・音声データ処理手段３６０にエラーメッセージを出力する。
音楽・音声データ処理手段３６０はエラーメッセージを再生しスピーカー３７０に出力され、耳装着型音楽再生装置３００は、指示指紋入力待ちの状態に戻る。（ステップＳ９１）
再生指示信号生成手段３４６−ａに再生指示指紋一致信号が出力された場合、再生指示信号生成手段３４６−ａは、再生指示信号を生成し制御手段３１０に出力する。（ステップＳ１０１）
再生指示信号を供給された制御手段３１０は、Ｉ／Ｆ手段３３６を介して変復調手段３３７に出力する。
再生指示信号を供給された変復調手段３３７は、再生指示信号を変調しアンテナ３３０を介して出力する。（ステップＳ１０２）
アンテナ３３０から出力された再生指示信号は、音楽データ発信装置１００の備えるアンテナ１９６に受信される。（ステップＳ１０３）
【００８８】
アンテナ１９６に受信された再生指示信号は、セパレーター１９０に供給され、情報部分の信号と電力部分の信号に分波する。（ステップＳ１０４）
情報部分の信号は復調手段１９１で復調し、情報入出力手段１８０に出力する。
電力部分の信号の処理に付いては前記セットアップ完了確認信号を受信したさいと同じ動作になるので繰り返し述べない。（ステップＳ１０５）
再生指示信号を供給された情報入出力手段１８０は、指示信号入力手段１８１を介して制御手段１１０に再生指示信号を供給する。（ステップＳ１０６）
再生指示信号を供給された制御手段１１０は、記憶媒体接続手段１５０を介して音楽データ記憶媒体２００の備えるＩ／Ｆ手段２０１に対し音楽データ出力要求信号を出力する。（ステップＳ１０７）
音楽データ出力要求信号を供給された音楽データ記憶媒体２００の備えるＩ／Ｆ手段２０１は、制御手段２１０に音楽データ出力要求信号を供給する。（ステップＳ１０８）
【００８９】
音楽データ出力要求信号を供給された制御手段２１０は、音楽データ記憶領域２０２に対し、音楽データを出力するよう指示信号を出力する。（ステップＳ１０９）
音楽データ記憶領域２０２は音楽データ出力指示信号に基づき、音楽データをＩ／Ｆ手段２０１を介して、音楽データ発信装置１００の備える記憶媒体接続手段１５０に対し出力する。（ステップＳ１１０）
Ｉ／Ｆ手段２０１を介して、音楽データを供給された音楽データ発信装置１００の備える記憶媒体接続手段１５０は、音楽データを制御手段１１０を介し音楽データ暗号化手段１４０に供給する。（ステップＳ１１１）
音楽データを供給された音楽データ暗号化手段１４０は、共通鍵一時記憶手段１３０に共通鍵Ｋｍ１を供給させる。（ステップＳ１１２）
音楽データ暗号化手段１４０は、前記供給された音楽データを共通鍵Ｋｍ１で暗号化し制御手段１１０に出力する。共通鍵Ｋｍ１で暗号化された音楽データを、音楽データ（Ｋｍ）とする。（ステップＳ１１３）
音楽データ（Ｋｍ）を供給された制御手段１１０は、音楽データ出力手段１８４と情報入出力手段１８０を介し変調手段１９２に音楽データ（Ｋｍ）を出力する。
変調手段１９２に供給された音楽データ（Ｋｍ）は、変調されアンテナ１９６から出力される。（ステップＳ１１４）
アンテナ１９６から出力された変調された音楽データ（Ｋｍ）は、耳装着型音楽再生装置３００の備えるアンテナ３３０に受信される。（ステップＳ１１５）
アンテナ３３０に受信された音楽データ（Ｋｍ）は、変復調手段３３７に出力される。
変復調手段３３７に供給された変調された音楽データ（Ｋｍ）は、復調され音楽データ入力手段３３５を介して制御手段３１０に供給される。（ステップＳ１１６）
音楽データ（Ｋｍ）を供給された制御手段３１０は、暗号化された音楽データ一時記憶手段３５２に出力され一時的に記憶される。（ステップＳ１１７）
暗号化された音楽データ一時記憶手段３５２は、前記一時的に記憶された音楽データ（Ｋｍ）を暗号化された音楽データ復号手段３５０に出力する。（ステップＳ１１８）
音楽データ（Ｋｍ）を供給された音楽データ復号手段３５０は、暗号解除鍵一時記憶手段３５１から共通鍵Ｋｍ２を供給させ、音楽データを複合化する。（ステップＳ１１９）
【００９０】
暗号化された音楽データ復号手段３５０で複合化された音楽データは、音楽・音声データ処理手段３６０に出力され、音楽・音声データ処理手段３６０で再生される。
音楽・音声データ処理手段３６０で再生された音楽は、スピーカー３７０に出力される。
耳装着型音楽再生装置３００は、制御手段３１０に指示信号が入力されない限り音楽データを再生し続ける。（ステップＳ１２０）
【００９１】
ステップステップＳ９０において出力された指示指紋一致信号が停止を指示する場合について説明を行なう。
停止指示信号生成手段３４６−ｂに停止指示指紋一致信号が出力された場合、停止指示信号生成手段３４６−ｂは、停止指示信号を生成する。（ステップＳ２０１）
停止指示信号生成手段３４６−ｂは制御手段３１０に停止指示信号を出力する。（ステップＳ２０２）
制御手段３１０は耳装着型音楽再生装置３００の動作を停止するよう指示を出す。（ステップＳ２０３）
耳装着型音楽再生装置３００が、再生、早送り、巻戻し等の動作を行なっていれば、その動作を停止する。（ステップＳ２０４）
【００９２】
ステップＳ９０において出力された指示指紋一致信号が早送りを指示する場合について説明を行なう。
早送り指示信号生成手段３４６−ｃに早送り指示指紋一致信号が出力された場合、早送り指示信号生成手段３４６−ｃは、早送り指示信号を生成する。（ステップＳ３０１）
早送り指示信号生成手段３４６−ｃは制御手段３１０に早送り指示信号を出力する。（ステップＳ３０２）
早送り指示信号を受信した制御手段３１０は、現在、音楽・音声データ処理手段３６０によって復号化された音楽データが再生中であるかを判断する。（ステップＳ３０３）
ステップステップＳ３０３において、復号化された音楽データが再生中であった場合、制御手段３１０は、現在再生中の音楽データを例えば２倍の速度や３倍の速度というように、高速で再生を行なうよう音楽・音声データ処理手段３６０に指示を出す。（ステップＳ３０４）
音楽・音声データ処理手段３６０は、現在再生中の音楽データを例えば２倍の速度や３倍の速度というように、高速で再生を行なう。（ステップＳ３０５）
音楽・音声データ処理手段３６０は制御手段３１０に高速再生中に他の動作指示信号が入力され新たな指示信号が供給されない限り高速再生を続ける。（ステップＳ３０６）
制御手段３１０に再生指示信号が供給された場合は、ステップＳ１１８の動作を行なうよう指示する。（ステップＳ３０７）
制御手段３１０に早送り指示信号かを判断し、早送り指示信号である場合はステップＳ３０９の動作を行なう。（ステップＳ３０８）
【００９３】
制御手段３１０は、暗号化された音楽データ一時記憶手段３５２に対し、これから暗号化された音楽データ複合手段３５０にこれから供給されようとしている次の曲を供給するよう指示する。（ステップＳ３０９）
制御手段３１０に巻戻し指示信号が供給された場合は、ステップＳ４０３の動作を行なうよう指示する。（ステップＳ３１０）
制御手段３１０に停止指示信号が供給された場合は、ステップＳ２０３の動作を行なうよう指示する。（ステップＳ３１１）
ステップＳ９０において出力された指示指紋一致信号が巻戻しを指示する場合について説明を行なう。
巻戻し指示信号生成手段３４６−ｄに巻戻し指示指紋一致信号が出力された場合、巻戻し指示信号生成手段３４６−ｄは、巻戻し指示信号を生成する。（ステップＳ４０１）
巻戻し指示信号生成手段３４６−ｄは制御手段３１０に巻戻し指示信号を出力する。（ステップＳ４０２）
巻戻し指示信号を受信した制御手段３１０は、現在、音楽・音声データ処理手段３６０によって復号化された音楽データが再生中であるかを判断する。（ステップＳ４０３）
ステップＳ４０３において、復号化された音楽データが再生中であった場合、制御手段３１０は、現在再生中の音楽データを例えば２倍の速度や３倍の速度というように、高速で逆再生を行なうよう音楽・音声データ処理手段３６０に指示を出す。（ステップＳ４０４）
音楽・音声データ処理手段３６０は、現在再生中の音楽データを例えば２倍の速度や３倍の速度というように、高速で逆再生を行なう。（ステップＳ４０５）
音楽・音声データ処理手段３６０は制御手段３１０に高速逆再生中に他の動作指示信号が入力され新たな指示信号が供給されない限り高速逆再生を続ける。（ステップＳ４０６）
【００９４】
制御手段３１０に再生指示信号が供給された場合は、ステップＳ１１８の動作を行なうよう指示する。（ステップＳ４０７）
制御手段３１０に早送り指示信号が供給された場合は、ステップＳ３０３の動作を行なうよう指示する。（ステップＳ４０８）
制御手段３１０に巻戻し指示信号かを判断し、巻戻し指示信号である場合はステップＳ４１０の動作を行なう。（ステップＳ４０９）
制御手段３１０は、暗号化された音楽データ一時記憶手段３５２に対し、これから暗号化された音楽データ複合手段３５０にこれから供給されようとしている前の曲を供給するよう指示する。（ステップＳ４１０）
制御手段３１０に停止指示信号が供給された場合は、ステップＳ２０３の動作を行なうよう指示する。（ステップＳ４１１）
【００９５】
【発明の効果】
本発明によれば、音楽データ発信装置１００から送信された音楽データは著作権保護の観点からみて、暗号化などの対策がなされており、この音楽データを単に受信することでは、視聴あるいは、コピーされることは考えにくい。
又、たとえ音楽データを記憶している媒体を盗難あるいは、紛失し、自らが望まない第三者に音楽データ記憶媒体が渡った場合でもこの音楽データ記憶媒体に記憶された内容を自らが望まない第三者が視聴することは出来ない。
その為、音楽が発表前のデモ用音楽や新製品開発会議等、音楽・音声データの内容が重要機密に属する内容又は、プライバシーにかかわる内容で、他者に聞かれては困る内容の場合でも本発明によれば、セキュリティを確保することが可能である。
【図面の簡単な説明】
【図１】本発明の全体の概略図。
【図２】音楽データ発信装置の構成図。
【図３】共通鍵生成手段の詳細図。
【図４】指紋データをマトリクス上に示す図。
【図５】耳装着型音楽再生装置の構成図。
【図６】共通鍵生成手段の詳細図。
【図７】指紋比較手段の構成図。
【図８】指示内容の詳細を示す図。
【図９】音楽データの記憶媒体を示す図。
【図１０】音楽データを記憶媒体に記憶させるフローチャート。
【図１１】耳装着型音楽再生装置の使用者登録までのフローチャート。
【図１２】耳装着型音楽再生装置の使用者登録までのフローチャート。
【図１３】耳装着型音楽再生装置の使用者登録までのフローチャート。
【図１４】耳装着型音楽再生装置の使用者登録までのフローチャート。
【図１５】音楽データを再生するフローチャート。
【図１６】耳装着型音楽再生装置の動作を停止するフローチャート。
【図１７】音楽データの早送り動作のフローチャート。
【図１８】音楽データの巻き戻し動作のフローチャート。
【符号の説明】
１００  音楽データ発信装置
２００  音楽データ記憶媒体
３００  耳装着型音楽再生装置
４００  音楽データ記憶媒体リーダライター
４５０  指紋データ読み取り装置
５００  パーソナルコンピュータ
６００  ネットワーク網
７００  音楽コンテンツサーバー
【図１】
2004363671.tif 000003
【図２】
2004363671.tif 000004
【図３】
2004363671.tif 000005
【図４】
2004363671.tif 000006
【図５】
2004363671.tif 000007
【図６】
2004363671.tif 000008
【図７】
2004363671.tif 000009
【図８】
2004363671.tif 000010
【図９】
2004363671.tif 000011
【図１０】
2004363671.tif 000012
【図１１】
2004363671.tif 000013
【図１２】
2004363671.tif 000014
【図１３】
2004363671.tif 000015
【図１４】
2004363671.tif 000016
【図１５】
2004363671.tif 000017
【図１６】
2004363671.tif 000018
【図１７】
2004363671.tif 000019
【図１８】
2004363671.tif 000020